(57)【要約】【課題】資源情報が表示された計測点のツリー構成を容易に把握することができるようにする。【解決手段】表示システム１０は、施設における所定の受変電設備から複数の負荷機器までの各階層において1つ以上の回路に分岐して受変電設備から複数の負荷機器までの経路を形成する電力系統（資源系統）に関する電力情報（資源情報）を、情報端末の表示部に表示する。表示システム１０は、複数の階層のうち１つの階層に属する１つの回路である対象回路の電力情報を表示部に表示し、かつツリー構成を表す構成情報を表示部に表示する表示制御部１６を備える。【選択図】図１
2018067069.tif 000002
【特許請求の範囲】
【請求項１】
施設における所定の第１の計測点を最上位層、複数の第２の計測点を最下位層として前記最上位層から前記最下位層までの各階層において1つ以上の経路に分岐して前記第１の計測点から前記複数の第２の計測点までの経路を形成する資源系統における資源情報を、情報端末が有する表示部に表示する表示方法であって、
前記複数の階層のうち１つの階層に属する１つの計測点である対象計測点の資源情報を前記表示部に表示し、かつ前記対象計測点と、前記対象計測点が属する階層より上位階層に属し前記対象計測点に関連付けられた上位計測点及び前記対象計測点が属する階層より下位階層に属し前記対象計測点に関連付けられたすべての下位計測点のうち少なくとも一方とを含むツリー構成を表す構成情報を前記表示部に表示する表示ステップを
含む表示方法。
【請求項２】
前記対象計測点が最上位の階層及び最下位の階層以外の階層に属している場合には、前記構成情報は、前記対象計測点、前記上位計測点及び前記すべての下位計測点を含むツリー構成を表す
請求項１に記載の表示方法。
【請求項３】
前記表示ステップは、
前記資源情報及び前記構成情報を表示しているときに、前記上記計測点及び前記すべての下位計測点のうち１つの計測点が選択されると、
選択された前記計測点を新たな対象計測点として、当該新たな対象計測点の新たな資源情報を前記表示部に表示し、
かつ前記新たな対象計測点と、前記新たな対象計測点が属する階層より上位階層に属し前記新たな対象計測点に関連付けられた新たな上位計測点及び前記新たな対象計測点が属する階層より下位階層に属し前記対象計測点に関連付けられたすべての新たな下位計測点のうち少なくとも一方とを含む新たなツリー構成を表す新たな構成情報を前記表示部に表示する
請求項１または２に記載の表示方法。
【請求項４】
前記構成情報は、
前記対象計測点を識別する対象計測点識別情報と、
前記上位計測点を識別する上位計測点識別情報及び前記すべての下位計測点の各々を識別する下位計測点識別情報のうち少なくとも一方とを含む
請求項１〜３のいずれか一項に記載の表示方法。
【請求項５】
前記資源情報は、電力量に関する情報であり、
前記対象計測点識別情報、前記下位計測点識別情報及び前記上位計測点識別情報の各々は、対応する計測点の計測点識別子または仮想ポイントであり、
前記計測点識別子は、コントローラによって電力量が計測可能な計測点に割り当てられた情報であり、
前記仮想ポイントは、上位階層に属する計測点、同階層に属する計測点及び下位階層に属する１つ以上の計測点のうち少なくともいずれかを用いて電力量が得られる計測点に割り当てられた情報である
請求項４に記載の表示方法。
【請求項６】
前記資源情報は、前記対象計測点の電力量であって前記計測点と関連付けられたすべての下位計測点の電力量の合計である
請求項１〜５のいずれか一項に記載の表示方法。
【請求項７】
表示ステップは、
１日における単位時間ごとの前記対象計測点の電力量、１週間における日ごとの前記対象計測点の電力量、１ヶ月における日ごとの前記対象計測点の電力量、及び１年における月ごとの前記対象計測点の電力量のいずれかを前記資源情報として表示する
請求項１〜６のいずれか一項に記載の表示方法。
【請求項８】
１ヶ月における日ごとの前記対象計測点の電力量が前記資源情報として表示される場合、当該１ヶ月の始期は電力量の検針があった翌日であり、
１年における月ごとの前記対象計測点の電力量が前記資源情報として表示される場合、各月の始期は電力量の検針があった翌日である
請求項７に記載の表示方法。
【請求項９】
前記資源情報は、電力量に関する情報であり、
最上位の階層から最下位の階層までの各計測点の関連付けを表す計測点マップを表示する計測点マップ表示ステップを、さらに含み、
前記計測点マップは、
コントローラによって電力量が計測可能な計測点と、
上位階層に属する計測点、同階層に属する計測点及び下位階層に属する１つ以上の計測点のうち少なくともいずれかを用いて電力量が得られる計測点とを含む
請求項１〜８のいずれか一項に記載の表示方法。
【請求項１０】
前記計測点マップ表示ステップが前記計測点マップを表示しているときに前記計測点マップに含まれる１つの計測点が選択されると、
前記表示ステップは、選択された前記計測点を対象計測点として、当該対象計測点に関する資源情報、及び当該対象計測点を含むツリー構成を表す構成情報を表示する
請求項９に記載の表示方法。
【請求項１１】
コンピュータに、
請求項１〜１０のいずれか一項に記載の表示方法を、
実行させるためのプログラム。
【請求項１２】
施設における所定の第１の計測点を最上位層、複数の第２の計測点を最下位層として前記最上位層から前記最下位層までの各階層において1つ以上の経路に分岐して前記第１の計測点から前記複数の第２の計測点までの経路を形成する資源系統における資源情報を、情報端末が有する表示部に表示する表示システムであって、
前記複数の階層のうち１つの階層に属する１つの計測点である対象計測点の資源情報を前記表示部に表示し、かつ前記対象計測点と、前記対象計測点が属する階層より上位階層に属し前記対象計測点に関連付けられた上位計測点及び前記対象計測点が属する階層より下位階層に属し前記対象計測点に関連付けられたすべての下位計測点のうち少なくとも一方とを含むツリー構成を表す構成情報を前記表示部に表示する表示制御部を
備える表示システム。
【発明の詳細な説明】
【技術分野】
【０００１】
本発明は、表示方法、プログラム及び表示システムに関し、より詳細には、施設に係る情報を表示する表示方法、プログラム及び表示システムに関する。
【背景技術】
【０００２】
従来、ツリー表示によって複数の回路（計測点）の関係を表示し、当該複数の回路のうち１つの回路についてのエネルギー消費情報（例えば電力量）を表示するエネルギー監視装置がある（例えば、特許文献１参照）。
【０００３】
特許文献１で記載されたエネルギー監視装置は、複数の計量区分（計測点）のツリー表示、及び複数の計量区分のうち選択された１つの計量区分のエネルギー消費情報の表示を行う。
【先行技術文献】
【特許文献】
【０００４】
【特許文献１】特開２００７−１９９７８３号公報
【発明の概要】
【発明が解決しようとする課題】
【０００５】
特許文献１で記載された技術では、ツリー表示を行う場合、１画面において表示される計量区分の数が多くなると、エネルギー情報（資源情報）が表示された計測点がツリー表示（ツリー構成）においてどれであるかを把握しにくくなるという問題がある。
【０００６】
そこで、本発明は上記事由に鑑みてなされており、資源情報が表示された計測点のツリー構成を容易に把握することができる表示方法、プログラム及び表示システムを提供することを目的とする。
【課題を解決するための手段】
【０００７】
本発明に係る一態様の表示方法は、施設における所定の第１の計測点を最上位層、複数の第２の計測点を最下位層として前記最上位層から前記最下位層までの各階層において1つ以上の経路に分岐して前記第１の計測点から前記複数の第２の計測点までの経路を形成する資源系統における資源情報を、情報端末が有する表示部に表示する方法である。前記表示方法は、前記複数の階層のうち１つの階層に属する１つの計測点である対象計測点の資源情報を前記表示部に表示し、かつツリー構成を表す構成情報を前記表示部に表示する表示ステップを含む。前記ツリー構成は、前記対象計測点と、前記対象計測点が属する階層より上位階層に属し前記対象計測点に関連付けられた上位計測点及び前記対象計測点が属する階層より下位階層に属し前記対象計測点に関連付けられたすべての下位計測点のうち少なくとも一方とを含む。
【０００８】
本発明に係る一態様のプログラムは、コンピュータに、前記表示方法を実行させるためのプログラムである。
【０００９】
本発明に係る一態様の表示システムは、施設における所定の第１の計測点を最上位層、複数の第２の計測点を最下位層として前記最上位層から前記最下位層までの各階層において1つ以上の経路に分岐して前記第１の計測点から前記複数の第２の計測点までの経路を形成する資源系統における資源情報を、情報端末が有する表示部に表示する。前記表示システムは、前記複数の階層のうち１つの階層に属する１つの計測点である対象計測点の資源情報を前記表示部に表示し、かつツリー構成を表す構成情報を前記表示部に表示する表示制御部を備える。前記ツリー構成は、前記対象計測点と、前記対象計測点が属する階層より上位階層に属し前記対象計測点に関連付けられた上位計測点及び前記対象計測点が属する階層より下位階層に属し前記対象計測点に関連付けられたすべての下位計測点のうち少なくとも一方とを含む。
【発明の効果】
【００１０】
上述した表示方法、プログラム及び表示システムによると、資源情報が表示された計測点のツリー構成を容易に把握することができる。
【図面の簡単な説明】
【００１１】
【図１】図１は、本発明の一実施形態に係る表示システム（サーバ）の構成を示すブロック図である。
【図２】図２は、同上の表示システムを含むコンピュータシステムのシステム構成図である。
【図３】図３は、本発明の一実施形態に係る情報端末の構成を示すブロック図である。
【図４】図４は、本発明の一実施形態に係る電力量表示画面の一例を示す図である。
【図５】図５は、本発明の一実施形態に係る電力量表示画面の別の例を示す図である。
【図６】図６は、本発明の一実施形態に係る電力量表示画面における詳細情報の表示についての一例を示す図である。
【図７】図７は、本発明の一実施形態に係る回路マップ表示画面の一例を示す図である。
【発明を実施するための形態】
【００１２】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計等に応じて種々の変更が可能である。
【００１３】
（実施形態）
本実施形態に係る表示方法、プログラム及び表示システムについて説明する。
【００１４】
（１）全体概要
本実施形態では、施設における電力系統に関する資源情報（電力情報）を表示する機能を、基本的な機能として有する表示システムについて説明する。電力系統は、所定の受電点（受変電設備）を最上位層、複数の負荷機器を最下位層として最上位層から最下位層までの各階層において1つ以上の回路に分岐して受電点から複数の負荷機器までの経路を電力系統（資源系統）として形成している。
【００１５】
本実施形態においては、コンピュータシステムが備える表示システム１０は、図１、図２に示すように、情報端末３に表示するコンテンツを作成するサーバ１にて構成される。ここでいう「施設」は、電力の供給を受けるビル等の施設を意味しており、電力会社等の電気事業者から電力の供給を受ける施設だけでなく、太陽光発電設備等の発電設備から電力の供給を受ける施設も含む。
【００１６】
施設５に設けられた計測システム２０は、施設５における電力の消費データ（消費電力量）を取得する。具体的には、計測システム２０は、施設５における複数の分岐回路について、消費電力量を消費データとして取得する。施設５における複数の分岐回路の各々には負荷機器５０が接続されている。負荷機器５０は、例えば施設５に設けられた機器であり、電力を消費する電気機器である。負荷機器５０は、例えば照明器具５０ａ〜５０ｃ、空調機器５０ｄ〜５０ｆ、ＥＶ（Electric Vehicle）充電装置５０ｇ等である。
【００１７】
サーバ１は、図２に示すように、施設５に設けられた計測システム２０にネットワーク４を介して接続される。また、サーバ１は、図２に示すように、表示部３１を備える情報端末３にネットワーク４を介して接続される。
【００１８】
情報端末３は、表示システム１０（サーバ１）で出力された情報（コンテンツ）を表示部３１に表示する。これにより、情報端末３は、表示システム１０で作成された情報（コンテンツ）を、情報端末３の所有者に対して提示することが可能となる。ここで、所有者は、例えば、施設５の工事を依頼した施主（建主）または工事を請け負った工事店の担当者等である。
【００１９】
（２）構成
次に、本実施形態に係る表示システム１０、計測システム２０及び情報端末３の構成について説明する。
【００２０】
（２．１）計測システム
まず、本実施形態の計測システム２０の構成について説明する。
【００２１】
計測システム２０は、図２に示すように、複数のコントローラ２１と、電流センサ２２〜２９とを備えている。また、施設５には、系統電源９に電気的に接続される受変電設備６１（キュービクル）が設けられている。なお、複数のコントローラ２１を個別に表す必要がある場合には、コントローラ２１ａ〜２１ｃと記載する。
【００２２】
複数のコントローラ２１は、少なくとも１つの電流センサに電気的に接続されている。具体的には、コントローラ２１ａは、電流センサ２２〜２４に電気的に接続されている。コントローラ２１ｂは、電流センサ２５に電気的に接続されている。コントローラ２１ｃは、電流センサ２６〜２９に電気的に接続されている。電流センサ２２は、受変電設備６１の一次側に設けられ、幹線を流れる電流の値を計測する。電流センサ２３〜２９は、複数の分岐ブレーカ６２に対応して設けられ、複数の分岐回路に流れる電流の値をそれぞれ計測する。ここでいう「分岐回路」は、受変電設備６１及び複数の分岐ブレーカ６２にて幹線から分岐された各回路を意味する。分岐回路には、分岐ブレーカ６２に接続される配線、照明器具や調理家電等の負荷機器５０、コンセント（アウトレット）、壁スイッチ等を含んでいる。なお、複数の分岐ブレーカ６２を個別に表す必要がある場合には、分岐ブレーカ６２ａ〜６２ｇと記載する。例えば、分岐ブレーカ６２ｄで分岐された分岐回路は、分岐ブレーカ６２ｄと照明器具５０ａ，５０ｂとを含む回路である。また、受変電設備６１で分岐された分岐回路は、受変電設備６１と分岐ブレーカ６２ａ，６２ｂ，６２ｃの各々で分岐された分岐回路とを含む回路である。
【００２３】
複数のコントローラ２１の各々は、電気的に接続された１つ以上の電流センサの出力を用いて、複数の分岐回路の各々について、消費電力と消費電力量（電力量）との少なくとも一方を計測する。複数のコントローラ２１の各々は、計測された計測値を、施設５に設けられたルータ７を介してサーバ１へ送信する。例えば、コントローラ２１ａは、受変電設備６１で分岐される分岐回路で使用される電力量、及び分岐ブレーカ６２ｄ，６２ｅの各々で分岐される分岐回路で使用される電力量を、それぞれ計測する。コントローラ２１ｂは、負荷機器５０（照明器具５０ｃ）で使用される電力量の値を計測する。コントローラ２１ｃは、分岐ブレーカ６２ｂ，６２ｇで分岐された分岐回路の各々で使用される電力量、及び負荷機器５０（空調機器５０ｄ，５０ｅ）で使用される電力量を計測する。なお、電流センサが設けられていない分岐ブレーカ６２ａ，６２ｃ，６２ｆで分岐された分岐回路の各々で使用される電力量は計測されない。同様に、電流センサが設けられていない負荷機器５０についてのこれらの電力量は計測されない。なお、以降において、“分岐ブレーカで分岐された分岐回路の電力量”との記載を、“分岐ブレーカの電力量”と記載する。
【００２４】
上述したように、計測システム２０の計測値は、施設５における複数の分岐回路の各々について、複数のコントローラ２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００２５】
（２．２）表示システム
次に、本実施形態の表示システム１０の構成について説明する。
【００２６】
表示システム１０は、上述したように、本実施形態ではサーバ１にて構成されている。サーバ１は、情報端末３及び複数のコントローラ２１にネットワーク４を介して接続される。
【００２７】
サーバ１は、図１に示すように、記憶部１１と、処理部１２と、通信部１３とを備える。サーバ１は、ＣＰＵ（Central Processing Unit）及びメモリを有している。ＣＰＵがメモリに格納されているプログラムを実行することにより、処理部１２の機能を実現する。プログラムは、ここではインターネット等の電気通信回線を通じて、あるいはメモリカード等の記録媒体に記録されて提供されるが、コンピュータのメモリに予め記録されていてもよい。
【００２８】
記憶部１１は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１１は、計測システム２０から取得した施設５における消費電力量（計測値）の情報を記憶する。
【００２９】
また、記憶部１１は、複数の回路（複数の分岐回路、複数の負荷機器５０）のそれぞれについて、当該回路に応じた名称に対応付けられた識別情報を記憶している。この識別情報を用いて回路を識別することができる。ここで、識別情報として２種類の識別子がある。１つ目は回路識別子であり、２つ目は、仮想ポイントである。
【００３０】
回路識別子とは、コントローラによって電力量の計測が可能な回路に割り当てられた情報である。回路識別子には、当該回路識別子に対応する回路の電力量を計測するコントローラの識別子、及び当該コントローラによって回路に付与された値を含んでいる。例えば、図２に示す受変電設備６１は、コントローラ２１ａによって電力量が計測可能であるので、回路識別子“コントローラ１［３１−１］”が割り当てられている。“コントローラ１”がコントローラ２１ａの識別子であり、“［３１−１］”がコントローラ２１ａによって回路に付与された値である。
【００３１】
仮想ポイントとは、上位の階層に属する回路（親回路）の電力量と、同階層に属する回路の電力量及び下位の階層に属するすべての回路（子回路）との電力量のうち少なくともいずれかに基づいて電力量が得られる回路に割り当てられた情報である。例えば、図２に示す分岐ブレーカ６２ａで分岐される分岐回路は、電流センサによる電力量が計測できない。そのため、下位の階層である分岐ブレーカ６２ｄ及び分岐ブレーカ６２ｅで計測される電力量の合計値を、当該分岐回路の電力量とすることができるので、当該分岐回路（分岐ブレーカ６２ａ）には仮想ポイント“Ｐ８０００”が割り当てられる。
【００３２】
記憶部１１は、複数の回路のそれぞれについて、当該回路と他の回路との関連付けを表す情報を記憶している。具体的には、記憶部１１は、複数の回路のそれぞれについて、当該回路（対象回路）と、対象回路に対応する親回路及びすべての子回路とを関連付けた情報（関連付け情報）を記憶している。親回路とは、対象回路を配下に持つ回路である。子回路とは、対象回路が配下に持つ回路である。例えば、分岐ブレーカ６２ａで分岐される分岐回路を対象回路とした場合、受変電設備６１が親回路となり、分岐ブレーカ６２ｄで分岐される分岐回路と分岐ブレーカ６２ｅで分岐される分岐回路とが子回路となる。例えば、記憶部１１は、対象回路の識別情報（対象回路識別情報）に、子回路となるすべての回路の識別情報の各々を子回路識別情報として、親回路となる回路の識別情報を親回路識別情報として、それぞれ対応付けて記憶している。
【００３３】
ここで、受変電設備６１から複数の負荷機器５０までを複数の階層に分類する。例えば、受変電設備６１を最上位の階層（第１の階層）とすると、受変電設備６１に接続される分岐ブレーカ６２ａ〜６２ｃの各々で分岐される分岐回路は第２の階層となる。さらに、
分岐ブレーカ６２ａ，６２ｂのいずれかに接続される分岐ブレーカ６２ｄ〜６２ｇの各々で分岐される分岐回路は第３の階層となる。分岐ブレーカ６２ｃ〜６２ｇのいずれかに接続される複数の負荷機器５０は最下位の階層（第４の階層）となる。上述した親回路は、対象回路の階層より上位の階層に属し、上述した子回路は対象回路の階層より下位の階層に属することとなる。なお、受変電設備６１を対象回路とした場合には、受変電設備６１は、最上位の階層に属するため、受変電設備６１に対する親回路は存在しない。
【００３４】
処理部１２は、図１に示すように、第１取得部１４、第２取得部１５及び表示制御部１６を有している。
【００３５】
第１取得部１４は、計測システム２０で計測された消費電力量を、少なくとも分岐ブレーカ６２（分岐回路）ごとに時系列データとして取得して、記憶部１１に記憶する。
【００３６】
第２取得部１５は、情報端末３からの要求に応じた画面を作成するための情報を取得する。第２取得部１５は、記憶部１１に記憶している時系列データ及び複数の回路の各々の関連付け情報を用いて、複数の回路のうち対象回路として選択された１つの回路の電力量に関する電力情報を取得する。第２取得部１５は、記憶部１１に記憶している時系列データ及び複数の回路の各々の関連付け情報を用いて、対象回路を中心とする上位の階層に即ずる回路と、下位の階層に属するすべての子回路とを含むツリー構成を表す構成情報を取得する。
【００３７】
表示制御部１６は、情報端末３からの要求に応じた画面を作成し、情報端末３の表示部３１に表示する。表示制御部１６は、図１に示すように、第１表示処理部１７と、第２表示処理部１８とを有している。
【００３８】
第１表示処理部１７は、第２取得部１５で取得された電力情報と構成情報とを表示部３１に表示する画面（コンテンツ）を作成し、表示部３１に表示する。具体的には、第１表示処理部１７は、作成した画面を情報端末３に送信し、表示部３１に表示させる。
【００３９】
第２表示処理部１８は、記憶部１１で記憶している複数の回路の各々の関連付け情報に基づいて、受変電設備６１を最上位の階層とし、複数の負荷機器５０を最下位の階層とするツリー構成を含む回路マップを作成し、情報端末３の表示部３１に表示する。
【００４０】
通信部１３は、ネットワーク４に接続されることで、サーバ１と情報端末３との間、及びサーバ１と複数のコントローラ２１との間の通信を可能にする。
【００４１】
（２．３）情報端末
次に、本実施形態の情報端末３の構成について説明する。
【００４２】
情報端末３は、一例として表示部３１を備えるスマートフォンである。情報端末３は、図３に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００４３】
表示部３１は、例えば液晶ディスプレイや有機ＥＬ（electroluminescence）ディスプレイのような薄型のディスプレイ装置である。
【００４４】
処理部３２は、表示部３１を制御することにより、表示制御部１６の第１表示処理部１７で作成された画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００４５】
通信部３３は、ネットワーク４に接続されることで、情報端末３とサーバ１（表示システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００４６】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００４７】
記憶部３５は、例えばフラッシュメモリ等の電気的に書換可能な不揮発性の半導体メモリで構成される。
【００４８】
情報端末３は、上記構成によりサーバ１で作成された画面（コンテンツ）を表示することができる。
【００４９】
なお、情報端末３がスマートフォンで構成されることは一例である。情報端末３は、携帯電話機、パーソナルコンピュータ等で構成されてもよい。
【００５０】
（３）動作説明
以下、本実施形態に係る表示システム１０の動作について説明する。
【００５１】
まず、電力情報と構成情報とを表示部３１に表示する場合の表示システム１０の動作について説明する。
【００５２】
本実施形態に係るプログラムは、情報端末３の表示部３１に、施設５における受変電設備６１から複数の負荷機器５０の至る電力系統における電力量に関する電力情報を表示するためのプログラムである。つまり、本実施形態に係るプログラムは、サーバ１のコンピュータを、第１取得部１４、第２取得部１５及び表示制御部１６として機能させるためのプログラムである。
【００５３】
第１取得部１４は、計測システム２０で計測された消費電力量を、少なくとも分岐ブレーカ６２ごとに時系列データとして取得して、記憶部１１に記憶する。
【００５４】
第２取得部１５は、複数の回路のうち対象回路として選択された１つの回路に関する情報の表示要求を情報端末３から受け取る。
【００５５】
第２取得部１５は、記憶部１１に記憶されている分岐回路（分岐ブレーカ）ごとの電力量を用いて、対象回路の電力情報としての対象回路の電力量を求める。第２取得部１５は、対象回路に対応するすべての子回路の電力量を用いて、対象回路の電力量の内訳を求める。対象回路の電力量からすべての子回路の電力量の合計値を減算した場合に、減算値が０より大きい場合には、当該減算値をその他の回路の電力量として分類する。
【００５６】
第２取得部１５は、記憶部１１で記憶されている回路に応じた名称と識別情報とを用いて、ツリー構成を表す構成情報を生成する。例えば、第２取得部１５は、親回路が存在する場合には、親回路の名称と当該親回路の識別情報との組、対象回路の名称と当該対象回路の識別情報との組、及び子回路の名称と当該子回路の識別情報との組すべてを含む構成情報を生成する。第２取得部１５は、親回路が存在しない場合には、対象回路の名称と当該対象回路の識別情報との組、及び子回路の名称と当該子回路の識別情報との組すべてを含む構成情報を生成する。
【００５７】
第１表示処理部１７は、第２取得部１５で得られた対象回路の電力情報及び構成情報を基に情報端末３の表示部３１に表示する画面（コンテンツ）を作成し、表示部３１に表示する。
【００５８】
次に、回路マップを表示する場合の表示システム１０の動作について説明する。
【００５９】
第２表示処理部１８は、回路マップの表示要求を情報端末３から受け取ると、記憶部１１で記憶している複数の回路の各々の関連付け情報に基づいて、回路マップを作成し、表示部３１に表示する。
【００６０】
（４）画面
ここでは、表示部３１で表示する画面について説明する。
【００６１】
（４．１）電力量表示画面
まず、複数の回路のうち選択された対象回路の電力情報、及び構成情報を含む画面（電力量表示画面）について説明する。なお、図４の参照符号及び領域を囲む一点鎖線は、説明のために記載しているのみであり、実際の画面には表示されない。以下、図５〜図７においても同様である。
【００６２】
本実施形態の電力量表示画面１００は、図４に示すように、表示対象領域１０１、参照データ表示領域１０２、表示切替領域１０３、表示日付領域１０４、更新ボタン領域１０５、グラフ表示領域１０６及びツリー構成領域１０７を含んでいる。
【００６３】
表示対象領域１０１には、選択された対象回路の名称が表示される。図４では、表示対象領域１０１には、受変電設備６１の名称として“受電点”という名称が表示されている。また、表示対象領域１０１にはプルダウンボタン１１０が表示されている。プルダウンボタン１１０がタップされると、電力情報を表示する回路の名称の一覧が表示される。情報端末３の所有者は、この一覧から対象回路を選択することが可能となる。
【００６４】
参照データ表示領域１０２には、電力情報とともに他の情報（例えば、温度変化または湿度変化）を表示したい場合において、他の情報に関する表示条件が表示される。プルダウンボタン１１１，１１２は、他の情報を検知するセンサを配下に設けたコントローラの一覧を表示するためのボタンである。プルダウンボタン１１３，１１４は、プルダウンボタン１１１，１１２によって選択されたコントローラの配下に属し、所定の空間（フロア）に設けられたセンサ（温度センサまたは湿度センサ）の一覧を表示するためボタンである。この場合、サーバ１の記憶部１１は、施設５に設けられたセンサの各々の検知結果を時系列に記憶している。
【００６５】
表示切替領域１０３には、電力情報として表示される対象回路の電力量に関する単位が表示される。プルダウンボタン１１５がタップされると、対象回路の電力量に関する単位の一覧が表示される。
【００６６】
表示日付領域１０４には、表示対象である電力情報（対象回路の電力量）が計測された期間（日、週、月、年）が表示される。ボタン１１６，１１７を用いて表示対象の期間を変更することができる。例えば、図４では、表示日付領域１０４には期間として日が表示されており、ボタン１１６を１回タップするごとに、表示されている日が当該日の前日に変更される。ボタン１１７を１回タップするごとに、表示されている日が当該日の翌日に変更される。また、ボタン１１８をタップするとカレンダが表示され、情報端末３の所有者は、特定の日、月または年を指定することができる。
【００６７】
グラフ表示領域１０６には、グラフ化された対象回路に関する電力情報（対象回路の電力量）が表示される。本実施形態では、所定期間（３０分、１時間、１日、１カ月）ごとに、対象回路の電力量がグラフ（棒グラフ）で表示される。このとき、グラフ表示領域１０６では、対象回路に対応するすべての子回路の電力量の内訳により対象回路の電力量が表示される。
【００６８】
グラフ表示領域１０６は、年タブ１２０、月タブ１２１、週タブ１２２、第１の日タブ１２３及び第２の日タブ１２４を有している。グラフ表示領域１０６では、５つのタブのうち選択されたタブについて、対象回路の電力情報として対象回路の電力量が表示される。例えば、年タブ１２０が選択されると、１年における月ごとの対象回路の電力量が表示される。月タブ１２１が選択されると、１カ月における日ごとの対象回路の電力量が表示される。週タブ１２２が選択されると、１週間における日ごとの対象回路の電力量が表示される。第１の日タブ１２３が選択されると、１日における１時間ごとの対象回路の電力量が表示される。第２の日タブ１２４が選択されると、１日における３０分ごとの対象回路の電力量が表示される。グラフ表示領域１０６では、５つのタブのうち選択されたタブの表示色は、残り４つのタブの表示色とは異なっている。図４では、第１の日タブ１２３が選択されており、他のタブとは表示色が異なっている。
【００６９】
グラフ表示領域１０６は、さらに、拡大ボタン表示領域１２５を有している。拡大ボタン表示領域１２５に表示された拡大ボタン１２５ａがタップされると、グラフ表示領域１０６で表示されている棒グラフが拡大された状態で、別画面としてグラフ表示領域１０６に重畳されて表示される。
【００７０】
ツリー構成領域１０７には、対象回路に関する情報と、対象回路に対応する親回路に関する情報及びすべての子回路の各々に関する情報のうち少なくとも一方とが表示される。ツリー構成領域１０７は、親回路表示領域１３１、対象回路表示領域１３２及び子回路表示領域１３３を有している。
【００７１】
親回路表示領域１３１には、対象回路に対応する親回路に関する情報（例えば、親回路の名称及びアドレス）が表示される。なお、対象回路が最上位の階層に属する回路（受変電設備６１で分岐される分岐回路）である場合には、親回路表示領域１３１には、親回路の名称及びアドレスは表示されない（図４参照）。
【００７２】
対象回路表示領域１３２には、対象回路に関する情報（例えば、対象回路の名称及びアドレス）が表示される。
【００７３】
子回路表示領域１３３には、対象回路に対応するすべての子回路の各々に関する情報（例えば、子回路の名称及びアドレス）が表示される。図４において、名称“電灯系統”は分岐ブレーカ６２ａで分岐される分岐回路に、名称“動力系統”は分岐ブレーカ６２ｂで分岐される分岐回路に、名称“その他系統”は分岐ブレーカ６２ｃで分岐される分岐回路に、それぞれ対応している。
【００７４】
つまり、対象回路が最上位の階層及び最下位の階層以外の階層に属している場合には、親回路に関する情報、対象回路に関する情報およびすべての子回路の各々に関する情報が、ツリー構成領域１０７に表示される。
【００７５】
ツリー構成において、表示対象である分岐回路（親回路、対象回路及び子回路）の識別情報を表示することで、コントローラで電力量を計測可能な分岐回路であるか、他の分岐回路の電力量を用いて電力量が求められるのかを、情報端末３の所有者は区別することができる。また、上述したように、コントローラで計測できる回路の識別情報は回路識別子である。そのため、情報端末３の所有者は、どのコントローラで計測可能であるかを把握することができる。なお、本実施形態では、対象回路が最下位の階層に属する回路（負荷機器５０）を対象回路として選択できない構成となっている。
【００７６】
更新ボタン領域１０５には、更新ボタンが表示される。更新ボタンがタップされると、第１表示処理部１７は、グラフ表示領域１０６及びツリー構成領域１０７の表示内容を更新して、更新後の内容を表示部３１に表示する。
【００７７】
以下、更新ボタンがタップされた場合の、表示システム１０（サーバ１）の動作について説明する。
【００７８】
更新ボタンがタップされると、第２取得部１５は、表示対象領域１０１で選択された回路を対象回路として、対象回路の電力量を求める。コントローラによって対象回路の電力量が計測されている場合には、第２取得部１５は、記憶部１１から対称回路に対する計測結果（電力量）を取得する。コントローラによって対象回路の電力量が計測されていない場合には、第２取得部１５は、親回路、すべての子回路、及び同階層に属し親回路が同一であるすべての他の回路のうち少なくともいずれかの電力量を用いて、対象回路の電力を求める。例えば、対象回路として受電点（受変電設備６１）が選択された場合には、第２取得部１５は、コントローラ２１ａで計測された対象回路に対する計測結果（電力量）を取得する。このとき、第２取得部１５は、４つのタブのうち選択されたタブに応じた期間（所定の単位）ごとに、対象回路の電力量を求める。
【００７９】
例えば、年タブ１２０が選択されている場合には、現在の月を基準月として基準月を含む過去１２カ月分に対して月単位で対象回路の電力量を求める。ここで、各月の始期を電力量の検針があった翌日とする。これにより、グラフ表示領域１０６で表示される各月の電力量に応じた料金と、検針によって得られる各月の料金との同期をとることができる。なお、基準月は、現在の月に限らず、情報端末３の所有者が基準月を指定してもよい。または、表示させる年が指定されてもよい。年が指定された場合には、指定された年の１月を開始月とする。月タブ１２１が選択されている場合には、表示日付領域１０４で表示されている月において日単位で対象回路の電力量を求める。表示日付領域１０４で表示されている月の始期は、電力量の検針があった翌日である。週タブ１２２が選択されている場合には、表示日付領域１０４で表示されている日付を基準として、過去７日分に対して日単位で対象回路の電力量を求める。第１の日タブ１２３が選択されている場合には、表示日付領域１０４で表示されている日付において１時間単位で対象回路の電力量を求める。第２の日タブ１２４が選択されている場合には、表示日付領域１０４で表示されている日付において３０分単位で対象回路の電力量を求める。ここで、所定の単位（月、日）における電力量とは、所定の単位を表す期間において使用された電力量の合計値、平均値、最大値等であればよい。また、日単位における電力量は、所定の時間帯で使用された電力量であってもよい。
【００８０】
第２取得部１５は、対象回路の電力量の内訳を求める。例えば、表示対象領域１０１で受電点が選択されている場合には、第２取得部１５は、下位の階層に属する分岐ブレーカ６２ａ，６２ｂ，６２ｃの各々の電力量を選択されたタブに応じた所定の期間ごとに求める。分岐ブレーカ６２ａには電流センサが設けられていないため、分岐ブレーカ６２ａの電力量を直接求めることができない。分岐ブレーカ６２ａの下位の階層である分岐ブレーカ６２ｄ，６２ｅの各々には電流センサ２３，２４が設けられている。そこで、第２取得部１５は、分岐ブレーカ６２ｄ，６２ｅの各々で計測された計測結果の合計値を分岐ブレーカ６２ａの電力量として求める。分岐ブレーカ６２ｂには電流センサ２６が設けられているので、第２取得部１５は、その計測結果を分岐ブレーカ６２ｂの電力量として取得する。分岐ブレーカ６２ｃには電流センサが設けられておらず、かつ下位の階層から負荷機器５０までの経路においても電流センサは設けられていない。そこで、第２取得部１５は、対象回路の電力量から、分岐ブレーカ６２ａの電力量及び分岐ブレーカ６２ｂの電力量を減算し、その結果を分岐ブレーカ６２ｃの電力量とする。
【００８１】
第２取得部１５は、対象回路に対応する関連付け情報を、記憶部１１から取得する。
【００８２】
第２取得部１５は、参照データ表示領域１０２において所定の空間（フロア）に設けられたセンサが選択されている場合には、選択されたセンサの検知結果を記憶部１１から取得する。第２取得部１５は、４つのタブのうち選択されたタブに応じた期間（所定の時間単位）ごとに当該期間における情報（温度、湿度）を、取得した検知結果から求める。例えば、参照データ表示領域１０２において所定フロアに設けられた温度センサが選択され、かつ年タブ１２０が選択されている場合には、第２取得部１５は、月単位に、当該月で検知された温度のうち最も高い気温を当該月の気温として取得する。月タブ１２１または週タブ１２２が選択されている場合には、第２取得部１５は、日単位に、当該日で検知された温度のうち最も高い気温を当該日の気温として取得する。第１の日タブ１２３または第２の日タブ１２４が選択されている場合には、第２取得部１５は、所定の時間帯（１時間または３０分）ごとに、当該時間帯で検知された温度のうち最も高い気温を当該時間帯の気温として取得する。なお、第２取得部１５で取得される気温は、平均値、中間値等であってもよい。
【００８３】
第１表示処理部１７は、第２取得部１５で取得された対象回路についての所定の時間単位（期間）ごとの電力情報（対象回路の電力量）及び各電力情報の内訳に基づいて、子回路ごとに異なる表示色を用いて各電力情報を表す棒グラフを作成する。なお、各電力情報の内訳は、子回路ごとに異なる表示パターン等で表示態様を変えてもよい。
【００８４】
第１表示処理部１７は、第２取得部１５で取得された対象回路に対応する関連付け情報に基づいて、対象回路を中心とするツリー構成を作成する。
【００８５】
第１表示処理部１７は、作成した棒グラフをグラフ表示領域１０６に含めて、作成したツリー構成をツリー構成領域１０７に含めて、表示部３１に表示する。
【００８６】
また、第１表示処理部１７は、参照データ表示領域１０２で所定の空間に設けられたセンサが選択されている場合には、第２取得部１５で取得された当該センサの検知結果（所定単位ごとの結果）をグラフ表示領域１０６に含めて表示部３１に表示する。例えば、第１表示処理部１７は、所定の時間単位ごとに得られた温度に基づいて、選択されたタブに応じた折れ線グラフを作成して、グラフ表示領域１０６に含めて表示部３１に表示する。これにより、電力情報とともに、所定の空間（フロア）の温度変化または湿度変化を表示することができる。
【００８７】
第１表示処理部１７は、電力量表示画面１００を表示部３１に表示しているときに、拡大ボタン１２５ａがタップされると、作成した棒グラフを拡大した画面を作成し、電力量表示画面１００に重畳させて表示部３１に表示する。
【００８８】
本実施形態では、ツリー構成領域１０７で表示されているツリー構成に含まれる対象回路を除く他の回路（親回路、子回路）をタップした場合に、タップした回路を新たな対象回路としてもよい。この場合、新たな対象回路に関する電力情報及び新たな対象回路を中心とするツリー構成が表示される。
【００８９】
例えば、図４において、ツリー構成領域１０７で表示されている子回路の名称“電灯系統”をタップすると、電灯系統が表す分岐回路を新たな対象回路として電灯系統に係る電力情報及びツリー構成が表示される（図５参照）。グラフ表示領域１０６では、選択されたタブ（タップされる前に選択されたタブ）に応じて、電力系統の分岐回路を形成する分岐ブレーカ６２ａの電力量が表示部３１に表示される。例えば、図５では、第１の日タブ１２３に応じた電力系統の分岐回路の電力量（分岐ブレーカ６２ａの電力量）が表示部３１に表示されている。このとき、分岐ブレーカ６２ａの電力量の内訳として、分岐ブレーカ６２ｄの電力量及び分岐ブレーカ６２ｅの電力量が異なる表示色で、表示部３１に表示される。また、ツリー構成領域１０７の対象回路表示領域１３２では、対象回路の名称として“電灯系統”が、対象回路のアドレスとして“Ｐ８０００”が表示される。
【００９０】
また、親回路表示領域１３１では、親回路の名称として電灯系統の親回路である受変電設備６１の名称“受電点”が表示される。親回路表示領域１３１では、親回路のアドレスとして受変電設備６１のアドレス“コントローラ１［３１-１］”が表示される。子回路表示領域１３３では、子回路の名称として電灯系統の子回路の名称が表示される。例えば、分岐ブレーカ６２ｄで分岐される分岐回路の名称“２Ｆ電灯”、及び分岐ブレーカ６２ｅで分岐される分岐回路の名称“１Ｆ電灯”が、それぞれ表示される。子回路表示領域１３３では、子回路のアドレスとして、分岐ブレーカ６２ｄで分岐される分岐回路のアドレス及び分岐ブレーカ６２ｅで分岐される分岐回路のアドレスが、それぞれ表示される。
【００９１】
このとき、変更された対象回路に応じて、表示対象領域１０１で表示される内容を変更することは必須ではない。ツリー構成領域１０７で表示されているツリー構成に含まれる対象回路を除く他の回路の名称がタップされた場合には、表示対象領域１０１で表示される内容は、変更しなくてもよい。また、参照データ表示領域１０２、表示切替領域１０３及び表示日付領域１０４の各々で表示される内容についても変更しなくてもよい。また、参照データ表示領域１０２でセンサが選択されていた場合、選択されたセンサの検知結果をグラフ表示領域１０６で表示することは必須ではない。ツリー構成領域１０７で表示されているツリー構成に含まれる対象回路を除く他の回路の名称がタップされた場合には、検知結果はグラフ表示領域１０６で表示されなくてもよい。
【００９２】
本実施形態の表示システム１０では、現在表示されている対象回路から新たな対象回路を選択することで、対象回路の電力量の内訳から１つの子回路の電力量へと絞り込み（掘り下げ）を行うことができる。また、対象回路の電力量を親回路の電力量の内訳として表示させることができる。
【００９３】
なお、ツリー構成領域１０７において、新たな対象回路として選択可能な回路の名称の表示色を、選択不可である回路の名称の表示色と異ならせることが好ましい。選択の可否により表示色を異ならせることで、情報端末３の所有者は、新たな対象回路として選択可能な回路を視覚的に把握することができる。
【００９４】
また、本実施形態において情報端末３がパーソナルコンピュータで構成されている場合に、グラフ表示領域１０６で表示されている棒グラフの１つの棒にカーソルを合わせたとき、当該棒に関する詳細情報が表示されてもよい。
【００９５】
例えば、図４において、棒Ｇ１にカーソルが合わせられた（選択された）とき、棒Ｇ１に関する詳細情報１４１が表示される（図６参照）。例えば、詳細情報１４１は、棒Ｇ１で表される電力量が計測された時刻、その時刻における対象回路の電力量、及び対象回路の電力量の内訳であって棒Ｇ１のうちカーソルが位置する部位に対応する内訳を含んでいる。図６では、時刻９時における対象回路（受変電設備６１で分岐される分岐回路）の電力量を表す棒Ｇ１が選択され、かつカーソルは動力系統を示す部位に位置している場合の詳細情報１４１を示している。この場合、詳細情報１４１として、時刻“９：００”、対象回路の電力量として“合計  ５１．５ｋＷｈ”、カーソルが位置する部位に対応する内訳として“動力系統  ３３．６ｋＷｈ”が表示される（図６参照）。
【００９６】
なお、情報端末３がスマートフォン及び携帯電話機等のカーソル表示がされない装置で構成されている場合には、棒グラフの１つの棒をタップすることで、詳細情報が表示される構成であってもよい。
【００９７】
また、複数のタブ（年タブ１２０、月タブ１２１、週タブ１２２、第１の日タブ１２３及び第２の日タブ１２４）のうち１つのタブが選択された状態で、他のタブを選択した場合、選択された他のタブに応じた対象回路の電力量が表示される。このとき、表示対象領域１０１、参照データ表示領域１０２、表示切替領域１０３及び表示日付領域１０４の各々で表示される内容を変更することは必須ではない。選択された他のタブに応じた対象回路の電力量が表示されるときに、表示対象領域１０１、参照データ表示領域１０２、表示切替領域１０３及び表示日付領域１０４の各々で表示される内容はそのまま承継されてもよい。これにより、タグの選択でグラフ表示領域１０６の表示内容が変更されても表示対象領域１０１、参照データ表示領域１０２、表示切替領域１０３及び表示日付領域１０４の各々で表示される内容はそのまま承継されるので、処理の手間を省くことができる。
【００９８】
（４．２）回路マップ表示画面
まず、複数の回路の各々の関連付け情報に基づいて作成された回路マップを含む画面（回路マップ表示画面）について説明する。
【００９９】
本実施形態の回路マップ表示画面２００は、図７に示すように、回路表示領域２０１〜２１５及びボタン表示領域２２０〜２２６を含んでいる。
【０１００】
回路表示領域２０１〜２１５には、対応する回路（複数の分岐回路及び複数の負荷機器のいずれか）の名称が表示される。
【０１０１】
例えば、回路表示領域２０１には、受変電設備６１を表す名称“受電点”が表示される。回路表示領域２０２には、分岐ブレーカ６２ａで分岐される分岐回路の名称、回路表示領域２０３には、分岐ブレーカ６２ｂで分岐される分岐回路の名称、回路表示領域２０４には、分岐ブレーカ６２ｃで分岐される分岐回路の名称が、それぞれ表示される。回路表示領域２０５，２０６には、分岐ブレーカ６２ａで分岐される分岐回路の配下に属する分岐回路の名称が、それぞれ表示されている。回路表示領域２０７，２０８には、分岐ブレーカ６２ｂで分岐される分岐回路の配下に属する分岐回路の名称が、それぞれ表示されている。さらに、回路表示領域２０９〜２１５には、対応する負荷機器の名称がそれぞれ表示される。例えば、回路表示領域２０９〜２１１で表示された名称は、図２に示す照明器具５０ａ〜５０ｃのそれぞれに対応している。回路表示領域２１２〜２１４で表示された名称は、図２に示す空調機器５０ｄ〜５０ｆのそれぞれに対応している。回路表示領域２１５で表示された名称は、図２に示すＥＶ充電装置５０ｇに対応している。
【０１０２】
ボタン表示領域２２０〜２２６には、対応する回路表示領域で表される回路の配下に属する他の回路を表示したり非表示にしたりするためのボタンが表示される。つまり、ボタン表示領域２２０〜２２６には、対応する回路表示領域で表される回路より下位のツリー構成を展開したり折り畳んだりするためのボタンが表示される。ボタンに−（マイナス）記号が付されている場合には、ボタンをタップすることで下位のツリー構成の折り畳みが可能であることを示している。ボタンに＋（プラス）記号が付されている場合には、ボタンをタップすることで下位のツリー構成の展開が可能であることを示している。なお、図７では、折り畳まれた部位がない状態、つまりすべての回路が回路マップ表示画面に表示された状態を示しているため、＋記号が付されたボタンは表示されていない。
【０１０３】
本実施形態において、回路マップ画面が表示部３１に表示されているときに１つの回路表示領域で表示された回路の名称がタップされると、タップされた回路の名称に対応する回路を対象回路とする電力量表示画面に回路マップ表示画面から遷移してもよい。タップされた回路の名称に対応する回路を対象回路とした場合における電力量表示画面の作成については、“（４．１）電力量表示画面”で説明した動作と同様の動作で実現できるため、ここでの説明は省略する。
【０１０４】
（５）変形例
以下に、変形例について列記する。なお、以下に説明する変形例は、上記実施形態と適宜組み合わせて適用可能である。
【０１０５】
上記実施形態では、表示制御部１６は、情報端末３の表示部３１に表示する画面（電力量表示画面１００、回路マップ表示画面２００）を作成する構成としたが、この構成に限定されない。表示制御部１６は、情報端末３に所望の表示画面を表示させるための画面情報を作成してもよい。例えば、情報端末３が表示画面を表示するためのアプリケーションを有していれば、画面情報はアプリケーションと共同して表示画面を表示するためのデータであってもよい。また例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【０１０６】
上記実施形態では、対象回路の電力量を、所定の時間単位（期間）ごとに、オブジェクト化して棒グラフとして表示する構成としたが、この構成に限定されない。表示システム１０（サーバ１）は、対象回路の電力量を折れ線グラフで表示してもよい。または、表示システム１０（サーバ１）は、対象回路の電力量をオブジェクトを動的に変化させるアニメーションとして表示してもよいし、文字のみで表示してもよい。つまり、情報端末３の所有者が視覚を通じて認識できる方法で対象回路の電力量が表示されていればよい。
【０１０７】
上記実施形態において、対象回路の電力量（第１電力量）を表示する際に、同一の回路において他の期間での電力量（第２電力量）を表示してもよい。この場合、第１電力量と第２電力量とを比較することができ、電力量の増減を把握することができる。
【０１０８】
上記実施形態では、対象回路として最下位の階層の回路（負荷機器５０）が選択できない構成としたが、この構成に限定されない。対象回路として最下位の階層の回路が選択できる構成であってもよい。この場合、対象回路として最下位の階層の回路が選択されると、当該回路の電力量が電力情報として表示されるが、子回路は存在しないので子回路の電力量の内訳は表示されない。
【０１０９】
上記実施形態において、表示システム１０は、電力情報として電力量（消費電力量）を表示する構成としたが、この構成に限定されない。表示システム１０は、電力情報として消費電力（電力）を表示する構成であってもよい。
【０１１０】
上記実施形態では、受変電設備６１から複数の負荷機器５０までの階層は４階層である構成としたが、この構成に限定されない。受変電設備６１から複数の負荷機器５０までの階層は２階層以上、特に３階層以上であればよい。
【０１１１】
上記実施形態では、施設５には複数のコントローラ２１が設けられる構成としたが、この構成に限定されない。１つのコントローラ２１が、施設５に設けられてもよい。つまり、施設５には、１つ以上のコントローラ２１が設けられていればよい。
【０１１２】
上記実施形態では、サーバ１が記憶部１１を有する構成としたが、この構成に限定されない。コントローラ２１が記憶部１１を有する構成であってもよい。例えば、複数のコントローラ２１が存在する場合には、複数のコントローラ２１の各々は、自コントローラが収集したセンサの検知結果を自コントローラが有する記憶部に記憶する。各コントローラ２１は、サーバ１の要求に応じて、記憶している検知結果をサーバ１に出力する。
【０１１３】
または、サーバ１及び１つ以上のコントローラ２１が、記憶部１１を有する構成であってもよい。この場合、サーバ１及び１つ以上のコントローラ２１が、同一の内容の情報を記憶部に記憶してもよいし、記憶すべき情報をサーバ１及び１つ以上のコントローラ２１に分散させて記憶してもよい。例えば、分散させて記憶する場合には、１つ以上のコントローラ２１に自コントローラが収集したセンサの検知結果を記憶し、その他の情報（関連付け情報等）はサーバ１で記憶する。
【０１１４】
さらに、コンピュータシステムは、１または複数のコンピュータで構成されるシステムであってもよい。つまり、表示システム１０がサーバ１で構成されることは必須ではない。例えば、表示システム１０は、サーバ１、１つ以上のコントローラ２１、情報端末３のうち少なくとも１つの装置によって構成されてもよい。また、表示システム１０の少なくとも一部の機能は、例えばクラウド（クラウドコンピューティング）によって実現されてもよい。また、サーバ１、１つ以上のコントローラ２１及び情報端末３の各々の機能は分散されて設けられていてもよい。
【０１１５】
また、上記実施形態では、「施設」は、電力の需要家の施設を意味しているが、これに限定されない。例えば、表示システム１０は、水の需要家の施設に用いられてもよい。この場合、施設の資源情報は、例えば、施設での水の消費量である。また、表示システム１０は、ガスの需要家の施設に用いられる。この場合、施設の資源情報は、例えば、施設でのガスの消費量である。要するに、表示システム１０が用いられる施設は、電力、水、ガス等の資源の供給を受ける施設であればよい。
【０１１６】
（６）まとめ
以上説明したように、第１の態様の表示方法は、施設５の資源系統（電力系統）における資源情報（電量情報）を、情報端末３が有する表示部３１に表示する表示方法である。資源系統は、施設５における所定の第１の計測点（受電点）を最上位層、複数の第２の計測点（負荷機器）を最下位層として最上位層から最下位層までの各階層において1つ以上の経路（回路）に分岐して第１の計測点から複数の第２の計測点までの経路を形成する。
表示方法は、複数の階層のうち１つの階層に属する１つの計測点（回路）である対象計測点の資源情報を表示部３１に表示し、かつツリー構成を表す構成情報を表示部３１に表示する表示ステップを含む。ツリー構成は、対象計測点と、対象計測点が属する階層より上位階層に属し対象計測点に関連付けられた上位計測点及び対象計測点が属する階層より下位階層に属し対象計測点に関連付けられたすべての下位計測点のうち少なくとも一方とを含む。なお、表示ステップは、第１表示処理部１７の機能に相当する。対象計測点は対象回路に、上位計測点は親回路に、下位計測点は子回路に、それぞれ相当する。
【０１１７】
この表示方法によると、対象計測点の電力情報と、対象計測点を中心としたツリー構成を表示するので、資源情報が表示された計測点のツリー構成を容易に把握することができる。
【０１１８】
第２の態様の表示方法では、第１の態様において、対象計測点が最上位の階層及び最下位の階層以外の階層に属している場合には、構成情報は、対象計測点、上位計測点及びすべての下位計測点を含むツリー構成を表す。この表示方法によると、対象計測点が最上位の階層及び最下位の階層以外の階層に属しているか否かを容易に把握することができる。
【０１１９】
第３の態様の表示方法では、第１または第２の態様において、資源情報及び構成情報を表示しているときに、上記計測点及びすべての下位計測点のうち１つの計測点が選択される。このとき、表示ステップは、選択された計測点を新たな対象計測点として、当該新たな対象計測点の新たな資源情報を表示し、かつ新たなツリー構成を表す新たな構成情報を表示部３１に表示する。新たなツリー構成は、新たな対象計測点と、新たな対象計測点が属する階層より上位階層に属し新たな対象計測点に関連付けられた新たな上位計測点及び新たな対象計測点が属する階層より下位階層に属し対象計測点に関連付けられたすべての新たな下位計測点のうち少なくとも一方とを含む。この表示方法によると、構成情報で表されるツリー構成から上位計測点及びすべての下位計測点のうち１つの計測点を選択することで、選択された計測点を新たな対象計測点として表示することができる。つまり、対象計測点から１つの下位計測点へと絞り込み（掘り下げ）を行ったり、対象計測点から上位計測点へと表示内容変更を行ったりすることができる。
【０１２０】
第４の態様の表示方法では、第１〜第３のいずれかの態様において、構成情報は、対象計測点を識別する対象計測点識別情報と、上位計測点を識別する上位計測点識別情報及びすべての下位計測点の各々を識別する下位計測点識別情報のうち少なくとも一方とを含む。ここで、対象計測点識別情報は対象回路識別情報に、上位計測点識別情報は親回路識別情報に、下位計測点識別情報は子回路識別情報に、それぞれ相当する。この表示方法によると、各計測点を識別する情報（識別情報）を用いてツリー構成を表示することができる。
【０１２１】
第５の態様の表示方法では、第４の態様において、資源情報は、電力量に関する情報である。対象計測点識別情報、下位計測点識別情報及び上位計測点識別情報の各々は、対応する計測点の計測点識別子または仮想ポイントである。計測点識別子は、コントローラによって電力量が計測可能な計測点に割り当てられた情報である。仮想ポイントは、上位階層に属する計測点、同階層に属する計測点及び下位階層に属する１つ以上の計測点のうち少なくともいずれかを用いて電力量が得られる計測点に割り当てられた情報である。この表示方法によると、コントローラで計測できる計測点と、コントローラでは計測できない計測点とを区別して表示することができる。
【０１２２】
第６の態様の表示方法では、第１〜第５のいずれかの態様において、資源情報は、対象計測点の電力量であって計測点と関連付けられたすべての下位計測点の電力量の合計である。この表示方法によると、対象計測点の電力量の内訳を、下位計測点ごとに表示することができる。これにより、情報端末３の所有者は、対象計測点の電力量を下位計測点ごとに把握することができる。
【０１２３】
第７の態様の表示方法では、第１〜第６のいずれかの態様において、表示ステップは、１日における単位時間ごとの対象計測点の電力量、１週間における日ごとの対象計測点の電力量、１ヶ月における日ごとの対象計測点の電力量、及び１年における月ごとの対象計測点の電力量のいずれかを資源情報として表示する。この表示方法によると、情報端末３の所有者の所望する期間（１日、週、月、年のいずれか）における所定の単位ごとに対象計測点の電力量を表示することができる。これにより、情報端末３の所有者は、所望する期間において所定の単位ごとに対象計測点の電力量を把握することができる。
【０１２４】
第８の態様の表示方法では、第７の態様において、１ヶ月における日ごとの対象計測点の電力量が資源情報として表示される場合、当該１ヶ月の始期は電力量の検針があった翌日である、また、１年における月ごとの対象計測点の電力量が資源情報として表示される場合、各月の始期は電力量の検針があった翌日である。この表示方法によると、表示される各月の電力量に応じた料金と、検針によって得られる各月の料金との同期をとることができる。
【０１２５】
第９の態様の表示方法では、第１〜第９のいずれかの態様において、資源情報は、電力量に関する情報である。表示方法は、最上位の階層から最下位の階層までの各計測点の関連付けを表す計測点マップを表示する計測点マップ表示ステップを、さらに含む。計測点マップは、コントローラによって電力量が計測可能な計測点と、上位階層に属する計測点、同階層に属する計測点及び下位階層に属する１つ以上の計測点のうち少なくともいずれかを用いて電力量が得られる計測点とを含む。なお、計測点マップ表示ステップは、第２表示処理部１８の機能に相当する。この表示方法によると、最上位の階層から最下位の階層までの計測点の関連付けを表示することができる。
【０１２６】
第１０の態様の表示方法では、第９の態様において、計測点マップ表示ステップが計測点マップを表示しているときに計測点マップに含まれる１つの計測点が選択される。このとき、表示ステップは、選択された計測点を対象計測点として、当該対象計測点に関する資源情報、及び当該対象計測点を含むツリー構成を表す構成情報を表示する。この表示方法によると、回路マップを表示する画面（回路マップ表示画面）から、選択された回路を対象回路とする電力情報及びツリー構成を表す構成情報を含む画面へ遷移することができる。
【０１２７】
第１１の態様のプログラムは、コンピュータに、第１〜第１０のいずれかの態様の表示方法を、実行させるためのプログラムである。このプログラムによると、資源情報が表示された計測点のツリー構成を容易に把握することができる。
【０１２８】
第１２の態様の表示システム１０は、施設５の資源系統（電力系統）における資源情報（電量情報）を、情報端末３が有する表示部３１に表示する。資源系統は、施設５における所定の第１の計測点（受電点）を最上位層、複数の第２の計測点（負荷機器）を最下位層として最上位層から最下位層までの各階層において1つ以上の経路（回路）に分岐して第１の計測点から複数の第２の計測点までの経路を形成する。表示システム１０は、複数の階層のうち１つの階層に属する１つの計測点である対象計測点の資源情報を表示部３１に表示し、かつツリー構成を表す構成情報を表示部３１に表示する表示制御部１６を備える。ツリー構成は、対象計測点と、対象計測点が属する階層より上位階層に属し対象計測点に関連付けられた上位計測点及び対象計測点が属する階層より下位階層に属し対象計測点に関連付けられたすべての下位計測点のうち少なくとも一方とを含む。この構成によると、資源情報が表示された計測点のツリー構成を容易に把握することができる。
【符号の説明】
【０１２９】
１    サーバ
３    情報端末
５    施設
１０    表示システム
１６    表示制御部
１７    第１表示処理部
１８    第２表示処理部
２１（２１ａ〜２１ｃ）  コントローラ
３１    表示部
５０    負荷機器（第２の計測点）
６１    受変電設備（受電点、第１の計測点）
【図１】
2018067069.tif 000003
【図２】
2018067069.tif 000004
【図３】
2018067069.tif 000005
【図４】
2018067069.tif 000006
【図５】
2018067069.tif 000007
【図６】
2018067069.tif 000008
【図７】
2018067069.tif 000009